(57)【要約】  接着剤付き多チャネルＲＦ信号ケーブルは、穴が全体に形成される少なくとも１つの導管部分を有し、かつ１つ以上のＲＦ信号チャネルを含む本体と、ケーブルを取り付け面に取り付けるための接着剤支持体層を有するフランジ部分と、を備える。接着剤付きケーブル配線は、分配される複数のＲＦ／携帯電話トラフィックチャネルを提供し、これらチャネルは、建物内でそれぞれが無線分配を必要とする異なる搬送波専用、異なるサービス専用、及び／又は信号を建物内の他の場所へのルーティング専用であり得る。【選択図】図１Ｂ
2013535182.tif 000002
【特許請求の範囲】
【請求項１】
接着剤付き多チャネルＲＦ信号ケーブルであって、
全体に穴が形成されている少なくとも１つの導管部分を有し、かつ１つ以上のＲＦ信号チャネルを含む本体と、
前記ケーブルを取り付け面に取り付けるための接着剤支持体層を有するフランジ部分と、を備える、接着剤付き多チャネルＲＦ信号ケーブル。
【請求項２】
前記本体及びフランジ部分が重合体から形成される、請求項１に記載の接着剤付き多チャネルＲＦ信号ケーブル。
【請求項３】
前記重合体が、前記１つ以上のＲＦ信号チャネルの上に押出される重合体である、請求項２に記載の接着剤付き多チャネルＲＦ信号ケーブル。
【請求項４】
前記本体及びフランジ部分が、金属から形成される、請求項１に記載の接着剤付き多チャネルＲＦ信号ケーブル。
【請求項５】
前記金属が、２ミル（０．０５ｍｍ）以下の厚さを有する低誘電体材料層で覆われる、請求項４に記載の接着剤付き多チャネルＲＦ信号ケーブル。
【請求項６】
前記本体が２つの導管部分を含み、第１の導管が第１のＲＦ信号チャネルを備えかつ第２の導管が第２のＲＦ信号チャネルを備える、請求項１〜５のいずれか一項に記載の接着剤付き多チャネルＲＦ信号ケーブル。
【請求項７】
前記第１のＲＦ信号チャネルが同軸ケーブルを含み、前記第２のＲＦ信号チャネルが光ファイバを含む、請求項６に記載の接着剤付き多チャネルＲＦ信号ケーブル。
【請求項８】
前記同軸ケーブルが、前記第１のチャネルからの第１のＲＦ信号を放射的に送信及び／又は受信するように構成される、請求項７に記載の接着剤付き多チャネルＲＦ信号ケーブル。
【請求項９】
前記第１のＲＦ信号チャネルの半径方向位置が、前記ＲＦ信号ケーブルの長さにわたって維持される、請求項８に記載の接着剤付き多チャネルＲＦ信号ケーブル。
【請求項１０】
前記第１のチャネルが、前記第１のチャネルの軸方向長さに沿って長手方向に形成された複数の放射開口を含む、請求項８に記載の接着剤付き多チャネルＲＦ信号ケーブル。
【請求項１１】
前記第１のチャネルが、前記第１のチャネルの前記軸方向長さに沿って形成された長手方向スロットを含み、該長手方向スロットが、約２０度〜約５５度の開口部を有する、請求項８に記載の接着剤付き多チャネルＲＦ信号ケーブル。
【請求項１２】
前記第２の導管が、別個のＲＦ信号チャネルをそれぞれ提供する複数の光ファイバを含む、請求項７に記載の接着剤付き多チャネルＲＦ信号ケーブル。
【請求項１３】
前記第１のＲＦ信号チャネルが、第１のアンテナに接続される第１の同軸ケーブルを含み、前記第２のＲＦ信号チャネルが、第２のアンテナに接続される第２の同軸ケーブルを含む、請求項６に記載の接着剤付き多チャネルＲＦ信号ケーブル。
【請求項１４】
前記ダクトが、第１の導管部分と、全体に形成される少なくとも１つの追加導管部分とを有し、第１の導管が複数の光ファイバを含み、第２の導管が電力線を有する、本体を含む、請求項１に記載の接着剤付き多チャネルＲＦ信号ケーブル。
【請求項１５】
前記少なくとも１つの追加導管部分が、前記フランジに形成される、請求項１４に記載の接着剤付き多チャネルＲＦ信号ケーブル。
【請求項１６】
前記少なくとも１つの追加導管部分が、前記本体の外側ジャケット部分に形成される、請求項１４に記載の接着剤付き多チャネルＲＦ信号ケーブル。
【請求項１７】
穴が全体に形成された少なくとも１つの導管部分を有し、かつ１つ以上のＲＦ信号チャネルを含む本体と、ケーブルを取り付け面に取り付けるための接着剤支持体層を有するフランジ部分と、を含む接着剤付き多チャネルＲＦ信号ケーブルを含む、屋内無線アプリケーション用の分散アンテナシステム。
【請求項１８】
前記接着剤付き多チャネルＲＦ信号ケーブルが、第１の無線サービスプロバイダからのＲＦ信号を運ぶ第１のＲＦ信号チャネルと、第２の無線サービスプロバイダからのＲＦ信号を運ぶ第２のＲＦ信号チャネルとを備える、請求項１７に記載の分散アンテナシステム。
【請求項１９】
前記接着剤付き多チャネルＲＦ信号ケーブルが、ハイブリッドネットワークアーキテクチャのための水平ケーブル配線を提供する、請求項１７に記載の分散アンテナシステム。
【請求項２０】
前記接着剤付き多チャネルＲＦ信号ケーブルが、受動ネットワークアーキテクチャのための水平ケーブル配線を提供する、請求項１７に記載の分散アンテナシステム。
【請求項２１】
前記接着剤付き多チャネルＲＦ信号ケーブルが、アクティブネットワークアーキテクチャのための水平ケーブル配線を提供する、請求項１７に記載の分散アンテナシステム。
【請求項２２】
前記接着剤付き多チャネルＲＦ信号ケーブルが、ＭＩＭＯアンテナシステムのための水平ケーブル配線を提供する、請求項１７に記載の分散アンテナシステム。
【請求項２３】
前記接着剤付き多チャネルＲＦ信号ケーブルが、天井直下の位置で建物の壁に接着剤で取り付けられる、請求項１７〜２２のいずれか一項に記載の分散アンテナシステム。
【発明の詳細な説明】
【技術分野】
【０００１】
本発明は、屋内無線（ＩＢＷ）水平ケーブル配線アプリケーションのための接着剤付きケーブル配線に関する。
【背景技術】
【０００２】
無線通信及びそれに伴うワイヤレス技術の継続的な拡大は、現在配置されているよりも更に多くの「セルサイト」を必要とすることになる。この拡大は、特に４Ｇ／ＬＴＥ（長期発展）ネットワークの配置において、現在のセルサイト数の２倍から１０倍の増加であると推測されている。セルサイト数のこの劇的な増加は、少なくとも一部には、ワイヤレス・アプリケーションの帯域幅の高需要に起因しており、所与のセルサイトの帯域幅は、サイトの範囲内の全ての利用可能なＵＥ（ユーザー装置）と共有される必要がある。
【０００３】
更に増加する顧客に所望の帯域幅を提供するために、より良好な無線通信範囲が必要である。したがって、従来の大きい「マクロ」セルサイトの新たな設置に加えて、「ミクロ」セルサイト（オフィスビル、学校、病院、及び住宅ユニットなどの建造物内のサイト）の数を拡大する必要性が存在する。建物及び関連構造物内での無線適用範囲を改善するために、屋内無線（ＩＢＷ）分散アンテナシステム（ＤＡＳ）が利用される。従来のＤＡＳは、３００ＭＨｚ〜６ＧＨｚの周波数範囲の無線周波数（ＲＦ）信号に適応するために、戦略的に配置されたアンテナ、又は建物全体に及ぶ漏えい同軸ケーブルを使用する。従来のＲＦ技術は、ＴＤＭＡ、ＣＤＭＡ、ＷＣＤＭＡ、ＧＳＭ、ＵＭＴＳ、ＰＣＳ／携帯電話、ｉＤＥＮ、ＷｉＦｉ、及びその他多を包含する。
【０００４】
合衆国の外では、事業者は、いくつかの国において、建物の内部の無線適用範囲を拡大するよう法律で義務付けられている。合衆国の中では、特に世界が現行の４Ｇアーキテクチャ以上へと移行する場合には、帯域幅需要及び安全上の懸念がＩＢＷアプリケーションを後押しすることになるであろう。
【０００５】
建物の内部で無線通信を分配するための、数多くの既知のネットワークアーキテクチャが存在している。こうしたアーキテクチャは、受動、能動、及びハイブリッドシステムの選択を含む。能動アーキテクチャは、一般に、電気信号を再構成しかつ信号を送信／受信する遠隔電子装置まで光ファイバケーブルによって運ばれる、操作されたＲＦ信号を含む。受動アーキテクチャは、通常は穿孔されたシールドの漏えい同軸ネットワークを通して信号を放射しかつ受信するコンポーネンツを含む。ハイブリッドアーキテクチャは、アクティブ信号分配点まで光学的に運ばれた後、複数の送信／受信アンテナで終端する複数の同軸ケーブルに送り込まれるネイティブＲＦ信号を含む。特定の例としては、アナログ／増幅ＲＦ、ＲｏＦ（Ｒａｄｉｏ  ｏｖｅｒ  Ｆｉｂｅｒ、ＲＦｏＧつまりＲＦ  ｏｖｅｒ  ｇｌａｓｓとしても知られる）、ピコセル及びフェムトセルにバックホールするファイバ、及び遠隔ユニットから（例えば、床の中の）残りの水平配線までの広範囲に及ぶ受動同軸分配によるＲｏＦ垂直つまり立ち上がり分配（riser distribution）が挙げられる。こうした従来のアーキテクチャは、電子回路の複雑性及びコスト、サービスを簡単に追加できない、全ての組み合わせのサービスをサポートできない、距離制限、又は面倒な設置条件といった点で限界があり得る。
【０００６】
ＩＢＷアプリケーションのための従来のケーブル配線は、ＲＦＳ（ｗｗｗ．ｒｆｓｗｏｒｌｄ．ｃｏｍ）から入手可能なＲＡＤＩＡＦＬＥＸ（商標）ケーブル配線、水平配線用の標準１／２インチ（１．２７ｃｍ）同軸ケーブル配線、立ち上がりケーブル用の７／８インチ（２．２２ｃｍ）同軸ケーブル配線、並びに、立ち上がり及び水平分配用の標準光ファイバケーブル配線を含む。
【０００７】
特に古い建物及び構造物の中で、異なる無線ネットワークアーキテクチャのためのＩＢＷケーブル配線を提供する際に、物理的及び審美的問題が存在する。難点としては、建物へのアクセスの獲得、立ち上がりクローゼット内の限られたケーブル配線スペース、並びにケーブルルーティング及び管理のためのスペースが挙げられる。
【発明の概要】
【課題を解決するための手段】
【０００８】
本発明の代表的な態様によると、接着剤付き多チャネルＲＦ信号ケーブルは、全体に穴が形成されている少なくとも１つの導管部分を有し、かつ１つ以上のＲＦ信号チャネルを含む本体と、ケーブルを取り付け面に取り付けるための接着剤支持体層を有するフランジ部分と、を備える。
【０００９】
一態様において、本体及びフランジ部分は、重合体から形成される。更なる態様において、重合体は、１つ以上のＲＦ信号チャネルの上に押出される重合体である。別の態様において、本体及びフランジ部分は、金属から形成される。更なる態様において、金属は、２ミル（０．０５ｍｍ）以下の厚さを有する低誘電体材料層で覆われる。
【００１０】
別の態様において、本体は２つの導管部分を含み、第１の導管が第１のＲＦ信号チャネルを備えかつ第２の導管が第２のＲＦ信号チャネルを備える。更なる態様において、第１のＲＦ信号チャネルは同軸ケーブルを含み、第２のＲＦ信号チャネルは光ファイバを含む。更なる態様において、同軸ケーブルは、第１のチャネルからの第１のＲＦ信号を放射的に送信及び／又は受信するように構成される。更なる態様において、第１のＲＦ信号チャネルの半径方向位置は、ＲＦ信号ケーブルの長さにわたって維持される。更なる態様において、第１のチャネルは、第１のチャネルの軸方向長さに沿って長手方向に形成された複数の放射開口を含む。更なる態様において、第１のチャネルは、第１のチャネルの軸方向長さに沿って形成された長手方向スロットを含み、長手方向スロットが、約２０度〜約５５度の開口部を有する。更なる態様において、第２の導管は、各々の別個のＲＦ信号チャネルをそれぞれ提供する複数の光ファイバを含む。
【００１１】
本発明の別の態様によると、屋内無線アプリケーションのための分散アンテナシステムは、穴が全体に形成された少なくとも１つの導管部分を有し、かつ１つ以上のＲＦ信号チャネルを含む本体と、ケーブルを取り付け面に取り付けるための接着剤支持体層を有するフランジ部分と、を含む接着剤付き多チャネルＲＦ信号ケーブルを含む。
【００１２】
別の態様において、接着剤付き多チャネルＲＦ信号ケーブルは、第１の無線サービスプロバイダからのＲＦ信号を運ぶ第１のＲＦ信号チャネルと、第２の無線サービスプロバイダからのＲＦ信号を運ぶ第２のＲＦ信号チャネルとを備える。別の態様において、接着剤付き多チャネルＲＦ信号ケーブルは、天井の直下の位置で建物の壁に接着剤で取り付け可能である。
【００１３】
別の態様において、接着剤付き多チャネルＲＦ信号ケーブルは、ハイブリッドネットワークアーキテクチャのための水平ケーブル配線を提供する。別の態様において、接着剤付き多チャネルＲＦ信号ケーブルは、受動ネットワークアーキテクチャのための水平ケーブル配線を提供する。別の態様において、接着剤付き多チャネルＲＦ信号ケーブルは、アクティブネットワークアーキテクチャのための水平ケーブル配線を提供する。
【００１４】
本発明の上記の概要は、本発明の図示された各実施形態又は全ての実施を説明しようとするものではない。下記の図及び発明を実施するための形態によって、これらの実施形態を更に詳細に例示する。
【図面の簡単な説明】
【００１５】
本発明を添付図面を参照して更に詳しく説明する。
【図１Ａ】本発明の態様による第１の代表的な接着剤付きダクトの等角図。
【図１Ｂ】本発明の別の態様による別の代表的な接着剤付きダクトの等角図。
【図１Ｃ】本発明の別の態様による別の代表的な接着剤付きダクトの等角図。
【図２Ａ】本発明の他の態様による代替的な接着剤付き多チャネルケーブルの等角断面図。
【図２Ｂ】本発明の他の態様による代替的な接着剤付き多チャネルケーブルの等角断面図。
【図２Ｃ】本発明の他の態様による代替的な接着剤付き多チャネルケーブルの等角断面図。
【図２Ｄ】本発明の他の態様による代替的な接着剤付き多チャネルケーブルの等角断面図。
【図３Ａ】本発明の他の態様による代替的な接着剤付き多チャネルケーブルの断面図。
【図３Ｂ】本発明の他の態様による代替的な接着剤付き多チャネルケーブルの断面図。
【図３Ｃ】本発明の他の態様による代替的な接着剤付き多チャネルケーブルの断面図。
【図４】本発明の別の態様による代表的な接着剤付き積層多チャネルケーブルの等角断面図。
【図５Ａ】本発明の別の態様による、壁に取り付けられた代表的な接着剤付きダクトの概略図。
【図５Ｂ】本発明の別の態様による、壁に取り付けられた代表的な接着剤付きダクトの概略図。
【図５Ｃ】本発明の別の態様による、壁に取り付けられた代表的な接着剤付きダクトの概略図。
【図５Ｄ】本発明の別の態様による、壁に取り付けられた代表的な接着剤付きダクトの概略図。
【図６Ａ】本発明の別の態様による別の代表的な接着剤付きダクトの等角図。
【図６Ｂ】本発明の別の態様による別の代表的な接着剤付きダクトの等角図。  本発明は様々な変更例及び代替形状が可能であるが、その具体例を一例として図面に示すと共に詳細に説明する。しかしながらその目的とするところは、本発明を記載された特定の実施形態に限定することにはない点は理解されるべきである。逆に、添付の請求の範囲に記載した発明の範囲を逸脱すること無く、あらゆる変更、均等物、及び代替物を含むことを意図する。
【発明を実施するための形態】
【００１６】
以下の発明を実施するための形態においては、本明細書の一部を構成する添付の図面を参照し、本発明を実施することができる特定の実施形態を例として示す。この点に関して、「上」、「下」、「前」、「後」、「先」、「前方」、「垂下」といった方向用語は、説明する図の配向に関して用いられる。本発明の実施形態の構成要素は多くの異なる方向に配置することができるので、方向に関する用語は、説明を目的として使われるものであって、決して限定するものではない。他の実施形態を利用することもでき、また構造的又は論理的な変更を、本発明の範囲から逸脱することなく行うことができることを理解すべきである。以下の詳細な説明は、したがって、限定的な意味で解釈されるべきではなく、また、本発明の範囲は、添付の特許請求の範囲によって定義される。
【００１７】
本発明は、屋内無線（ＩＢＷ）アプリケーションのための水平ケーブル配線用高分子又は積層金属ケーブル配線に関する。本明細書に記載される本発明のケーブル配線ソリューションは、同軸（ｃｏａｘ）ケーブル、光ファイバ、及び配電ケーブル配線のための無線周波数（ＲＦ）信号経路を提供する。接着剤付きケーブル配線は、より良好な審美性のために低衝撃プロファイルを有して設計される。接着剤付きケーブル配線は、分配される複数のＲＦ／携帯電話トラフィックチャネルを提供する。これら多チャネルは、異なる搬送波専用（各搬送波は建物内で無線分配が必要である）、又は異なるサービスを提供するため専用であり得る。これらの多チャネルはまた、信号を建物内の他の場所にルーティングため専用でもあり得る。接着剤付きケーブル配線は、独立したアンテナを必要とせずにＲＦ／携帯電話信号を放射するための１つ以上の放射チャネルを提供することもできる。接着剤付きケーブル配線構造は、接着剤付きケーブル配線のケーブル配線に沿った特定の位置において、特注設計の又はプログラム可能な放射領域を可能にし、ＲＦ信号レベルはケーブルの他の部分に保持されることができる。したがって、接着剤付きケーブル配線は、柔軟なネットワーク設計、及び所与の室内放射環境の最適化を可能にする。
【００１８】
本発明の第１の態様において、接着剤付きケーブルダクト１１０は、ＩＢＷアプリケーションのための水平ケーブル配線を提供するために、１つ以上のＲＦ信号チャネルを収容する。図１Ａに示されるように、ダクト１１０は、導管部分を有する本体１１２を有し、導管部分を通る穴１１３が設けられている。穴１１３は、その中に配置される１つ以上のＲＦ通信回線を収容するようにサイズ設定される。こうしたＲＦ通信回線は、以下に更に説明されるように、同軸ケーブル、光ファイバ、及び／又は電力線を含むことができる。使用の際、ダクト１１０に１つ以上のＲＦ通信回線を予め実装しておくことができる。好ましい態様において、ＲＦ通信回線は、約３００ＭＨｚ〜約６ＧＨｚの伝送周波数範囲を有するＲＦ信号を送信するように構成される。
【００１９】
導管部分は、略円形断面を有することができるが、代替実施形態では、矩形、正方形、三角形、楕円形、又は他の多角形の断面のような別の形状を有してもよい。
【００２０】
一態様では、ダクト１１０は、ポリオレフィン、ポリウレタン、ポリ塩化ビニル（ＰＶＣ）などの重合体材料で形成された構造物である。例えば、一態様では、ダクト１１０は、ポリウレタンエラストマー（例えば、Ｅｌａｓｔｏｌｌａｎ  １１８５Ａ１０ＦＨＦ）などの代表的な材料を含んでもよい。特定の用途の必要に応じて、難燃剤、安定剤、充填剤などの添加物を含めることもできる。好ましい態様では、ダクト１１０は、柔軟性であり、したがって、亀裂や分裂なしに角部や他の構造に沿って導き曲げることができる。ダクト１１０は、従来の押し出し成形プロセスを使用して連続形成することができる。
【００２１】
代替的な態様において、ダクト１１０は、銅又はアルミニウムなどの金属材料から形成され得る。一態様において、金属材料は、厚さが比較的薄く（例えば、最大２ミル（０．０５ｍｍ））、かつダクトの本体周囲に外皮又は外殻を形成する、液晶高分子又は熱可塑性材料などの高分子フィルムで予めラミネートされていてもよい。この外皮は、水分がダクトに浸透するのを防止するのを助けることができ、装飾カバーとしても使用され得る。
【００２２】
また、ダクト１１０は、壁に、又は床、天井、又はモールディングなどの取り付け面に敷設されるか取り付けられたときにダクト１１０の支持を提供するフランジ又は類似の平坦部分を含む。ほとんどの用途では、取り付け面は、略平坦である。取り付け面には、テクスチャ又は他の構造が形成されていてもよい。他の用途では、取り付け面は、ピラー又はカラムが見られるような湾曲部を有してもよい。フランジは、図１Ａに示されるようにダクトの長手方向軸に沿って延在する。例示的なダクト１１０は、二重のフランジ構造を有し、フランジ部分１１５ａ及び１１５ｂは、中心に配置された導管部分の下に位置決めされる（使用中）。代替態様では、フランジは、単一のフランジ部分を有することができる。代替用途では、面内及び面外の曲がりのためにツバの一部分を取り外すことができる。
【００２３】
好ましい態様では、フランジ１１５ａ、１１５ｂは、略平坦面形状を有する背面又は底面１１６を有する。この平坦面は、接着剤層１１８を使用して、ダクト１１０を取り付け面、壁、又は他の表面（例えば、乾式壁又は他の従来からある建材）に接着するのに適した表面積を提供する。
【００２４】
必要に応じて、ダクト１１０は、撚り合わされた又はアラミド糸であるアラミドストリング又はより糸（例えば、織物又は不織のケブラー材料）などの補強部材を含み得る。アラミドストリング又はアラミド糸は、接着又は非接着の状態であり得る。代替的な補強部材の材料としては、金属ワイヤ又はグラスファイバー部材が挙げられる。補強部材は、ダクト１１０の本体と縦方向に伴行し得、（ダクトの本体及び／又はフランジ１１５ａ／１１５ｂの）底面１１６と接着剤層１１８との間に配置され得る。補強部材は、敷設中及び敷設後にダクトが伸びる及び緩むのを防止することができ、そのような伸び及び緩みは、取り付け面からのダクトの剥離を引き起こす可能性がある。
【００２５】
本発明の好ましい態様では、接着剤層１１８は、表面１１６の全体又は少なくとも一部に配置される、エポキシなどの接着剤、転写接着剤、アクリル接着剤、又は両面テープを含む。一態様では、接着剤層１１８は、工場で貼り付けられた３Ｍ  ＶＨＢ  ４９４１Ｆ粘着テープ（３Ｍ  Ｃｏｍｐａｎｙ，Ｓｔ．Ｐａｕｌ  ＭＮより入手可能）を含む。別の態様において、接着剤層１１８は、ストレッチリリース接着剤などの除去可能な接着剤を含む。「除去可能な接着剤」とは、ダクト１１０を取り付け面（好ましくは、略平坦面であるが、ある程度の表面テクスチャ及び／又は湾曲が考えられる）に取り付けて、敷設者／ユーザーがダクトをその取り付け位置から取り外すように操作するまでダクト１１０が取り付け状態で留まるようにすることができることを意味する。ダクトは取り外し可能であるが、接着剤は、ユーザーがダクトを所定の場所に長期間留めたい用途に適切である。好適な除去可能な接着剤は、参照によりその全体が本明細書に組み込まれるＰＣＴ特許出願ＵＳ２０１１／０２９７１５により詳細に記載されている。
【００２６】
代替的な態様では、接着剤支持体層１１８は取り外し可能なライナー１１９を含む。使用の際、このライナー１１９を取り外し、接着剤層を取り付け面に適用することができる。
【００２７】
本明細書に記載されるダクトの多くは、対称形状を有するものとして示されるが、ダクト設計は、本明細書が示される当業者に明らかなように、非対称形状（例えば、片側のフランジが他方のフランジより幅広いなど）を有するように修正され得る。
【００２８】
更に、本明細書で述べるダクトは、少なくとも２つの材料で共押出し成形されてもよい。第１の材料は、衝撃、圧縮による突発的損傷などに対して各ダクトの導管部分内の通信回線又は他のケーブルを保護するか、又は更にはステープル留めなどの故意の誤用に対してある程度の保護を提供する特性を呈することができる。第２の材料は、コーナリングのための機能的柔軟性を提供することができる。
【００２９】
いくつかの態様では、ダクトは、Ｖ０難燃性材料を含むことができ、塗装可能な材料から形成されることができ、又は更なる代替案では、別の装飾材料で覆われることができる。
【００３０】
別の態様では、図１Ｂに示されるように、接着剤付きダクト２１０は、ＩＢＷアプリケーションのための水平ケーブル配線を提供する複数のＲＦ信号チャネルを収容する。ダクト２１０は本体２１２を含み、複数の導管（ここでは、穴２１３ａ及び２１３ｂ）が本体２１２を通って設けられる。穴２１３ａ及び２１３ｂはそれぞれ、穴の中に配置される１つ以上のＲＦ通信回線を収容するように寸法設定される。この例では、穴２１３ａは第１のＲＦ信号チャネル２０１ａを収容するように寸法設定され、穴２１３ｂは第２のＲＦ信号チャネル２０１ｂを収容するように寸法設定される。この態様では、第１のＲＦ信号チャネル２０１ａは、外側導体シールド２０９で取り囲まれた誘電体材料２０８で取り囲まれた導電性コア２０７を有する同軸ケーブルを備える。第２のＲＦ信号チャネル２０１ｂは光ファイバを含む。光ファイバ信号通信チャネルは、ＲＦｏＧを支持するように最適化され得る。例えば、光ファイバは、ネイティブＲＦ信号を伝送するように設計された単一モード光ファイバを含み得る。使用目的によっては多モードファイバを使用することもできる。代替的な態様では、以下に更に詳細に説明されるように、第１のＲＦ信号チャネル２０１ａは、放射同軸ケーブルを含み得る。更なる代替態様において、穴２１３ｂは、少なくとも第２の同軸ケーブル又は電力線を収容し得る。別の代替態様において、接着剤付きケーブル配線は、ＣＡＴ５、ＣＡＴ６線として構成されたより多くの通信チャネルのうちの１つを更に含み得る。別の代替案では、電力は、同軸線の１つ以上の導電性コアを通じて送信され得る。
【００３１】
ダクト２１０は、上述されたもののような重合体材料から形成される構造体であり得る。更なる態様において、ダクト２１０は、オーバージャケット押出プロセスで通信線の上に直接押出されることができる。あるいは、ダクト２１０は、上述のように、銅又はアルミニウムなどの金属材料から形成され得る。アクセススリットのある又はないダクト２１０を敷設者に提供することができる。
【００３２】
ダクト２１０は、壁に、又は床、天井、若しくはモールディングなどの取り付け面に敷設されるか取り付けられたときにダクト２１０の支持を提供するフランジ２１５ａ、２１５ｂ又は類似の平坦部分を含む。好ましい態様では、フランジ２１５ａ、２１５ｂは、略平坦面形状を有する背面又は底面２１６を有する。必要に応じて、ダクト２１０は、上述されたもののような１つ以上の補強部材を含み得る。好ましい態様において、接着剤層２１８は、表面２１６の全体又は少なくとも一部に配置される、エポキシなどの接着剤、転写接着剤、アクリル接着剤、感圧接着剤、両面テープ、又は上述のもののような除去可能な接着剤を含む。図示されていないが、取り外し可能なライナーを提供することができ、該ライナーは、接着剤層が取り付け面に貼り付けられるときに除去され得る。
【００３３】
別の態様では、図１Ｃに示されるように、接着剤付きダクト２１０’は、ＩＢＷアプリケーションのための水平ケーブル配線を提供するために、複数のＲＦ信号チャネルを収容する。ダクト２１０’は本体２１２を含み、複数の導管（ここでは、穴２１３ａ及び２１３ｂ）が本体２１２を通って設けられる。穴２１３ａ及び２１３ｂはそれぞれ、穴の中に配置される１つ以上のＲＦ通信回線を収容するように寸法設定される。この例では、穴２１３ａは、同軸ケーブル、又はより詳細には放射同軸ケーブルとして構成された第１のＲＦ信号チャネル２０１ａを収容するように寸法設定され、穴２１３ｂは、それぞれが光ファイバとして構成されている複数のＲＦ信号チャネル２０１ｂ、２０１ｃ、２０１ｄ、及び２０１ｅを収容するように寸法設定される。代替態様では、より多い又はより少ない数のＲＦ信号チャネルを穴２１３ｂの中に配置することができる。
【００３４】
この態様では、チャネル２０１ｂ〜２０１ｅのそれぞれは、別個のＲＦ信号経路として構成されることができる。したがって、チャネル２０１ｂは、第１の周波数帯域の信号経路を提供することができ、チャネル２０１ｃは、第２の周波数帯域の信号経路を提供することができ、チャネル２０１ｄは、第３の周波数帯域の信号経路を提供することができ、チャネル２０１ｅは、第４の周波数帯域の信号経路を提供することができる。あるいは、チャネル２０１ｂは、第１のサービスプロバイダ用の信号経路を提供することができ、チャネル２０１ｃは、第２のサービスプロバイダ用の信号経路を提供することができ、チャネル２０１ｄは、第３のサービスプロバイダ用の信号経路を提供することができ、チャネル２０１ｅは、第４のサービスプロバイダ用の信号経路を提供することができる。あるいは、チャネル２０１ｂは、第１のサービスタイプ（例えば、ＧＳＭ）のための信号経路を提供することができ、チャネル２０１ｃは、第２のサービスタイプ（例えば、ｉＤＥＮ）のための信号経路を提供することができ、チャネル２０１ｄは、第３のサービスタイプ（例えば、ＵＭＴＳ）のための信号経路を提供することができ、チャネル２０１ｅは、第４のサービスタイプ（例えば、ＰＣＳ／携帯電話）のための信号経路を提供することができる。
【００３５】
代替的な態様において、ダクト２１０’は、少なくとも第２の同軸ケーブル又は電力線を収容することができる。例えば、図示されていないが、穴２１３ａは第１の同軸ケーブルを有することができ、穴２１３ｂは第２の同軸ケーブルを有することができる。
【００３６】
ダクト２１０’は、上述されたもののような重合体材料又は金属材料から構成される構造体であり得る。スリットのある又はないダクト２１０’を敷設者に提供することができる。更なる態様において、ダクト２１０’は、オーバージャケット押出プロセスで通信線の上に直接押し出されることができる。
【００３７】
ダクト２１０’はまた、壁に、又は床、天井、若しくはモールディングなどの取り付け面に敷設されるか取り付けられたときにダクト２１０’の支持を提供するフランジ又は類似の平坦部分を含む。好ましい態様では、フランジ２１５ａ、２１５ｂは、略平坦面形状を有する背面又は底面２１６を有する。必要に応じて、ダクト２１０’は、上述されたもののような１つ以上の補強部材を含むことができる。好ましい態様において、接着剤層２１８は、表面２１６の全体又は少なくとも一部に配置される、上述されたもののような、エポキシなどの接着剤、転写接着剤両面テープ、又は除去可能な接着剤を含む。図示されていないが、取り外し可能なライナーを提供することができ、該ライナーは、接着剤層が取り付け面に貼り付けられるときに除去され得る。
【００３８】
更なる代替態様において、ダクト２１０、２１０’は複数の導管を含むことができ、該導管のそれぞれは異なる寸法の穴を有し、各穴は、特定のケーブルタイプを穴の中に収容するように構成され得る。
【００３９】
別の実施形態において、接着剤付きケーブルダクトは、多チャネルＲＦ信号分配を提供するために使用され得る、積層された多チャネル（ＬＭＣ）ケーブルとして構成される。図２Ａに示されるように、ＬＭＣケーブル４００は、それぞれが通信回線を有する多チャネル４０１ａ〜４０１ｄを含む。言うまでもなく、本願明細書の本説明を提供された当業者には明らかなように、ＬＭＣケーブル４００は、より少ない又は多い数の通信回線チャネル（例えば、２つのチャネル、３つのチャネル、５つのチャネル、６つのチャネル等）を含むことができる。
【００４０】
一態様において、チャネルのそれぞれは、外側導体シールド４１６で取り囲まれた誘電体材料４１４で取り囲まれた中心導体４１２を有する同軸ケーブルを備える。中心導体４１２は、銅などの従来の金属ワイヤであり得る。マイクロ波同軸ケーブルアプリケーションなどのアプリケーションによっては、中心導体４１２は、銅めっきされたアルミ線を含み得る。誘電体材料４１４は、低損失誘電体を提供するために相当量の空気を混入させた発泡誘電体などの、従来の誘電体材料であり得る。外側導体シールド４１６は、従来の金属（箔）又は金属箔と、誘電体材料の上に真空蒸着された金属との組み合わせである。こうした導波構造は、少ない表皮効果損失及び良好なＲＦ接地を提供することができる。好ましい態様において、同軸ケーブルチャネルは、約３００ＭＨｚ〜約６ＧＨｚの伝送周波数範囲を有する無線周波数（ＲＦ）信号の伝送をもたらすように構成される。
【００４１】
金属製の二次外側シース４２０がチャネル４０１ａ〜４０１ｄのそれぞれの上に積層されて、ケーブルのアセンブリ構造を提供することができる。この例では、金属製の二次外側シース４２０は、チャネル４０１ａ〜４０１ｄのそれぞれの導体シールド４１６の上に直接積層されている。金属製の二次外側シース４２０は、銅又はアルミニウムなどの金属から形成されることができ、約０．００１インチ（０．０２ｃｍ）〜約０．０１５インチ（０．０３ｃｍ）の厚さを有する。
【００４２】
外側シース４２０は、ロールツーロールプロセスなどの従来の積層プロセスを用いて信号通信チャネル４０１ａ〜４０１ｄの上に積層されることができ、２つの外側シース層４２０は、信号通信チャネル４０１ａ〜４０１ｄの上に結合される。結合は、熱可塑性ライナー、選択的な場所におけるホットメルト接着剤、又は他の従来のプロセスを用いて達成され得る。一態様では、参照によりその全体が本明細書に組み込まれる米国特許出願第６１／２１８，７３９号に記載されているような積層プロセスを用いることができる。
【００４３】
金属製の外側シース４２０は難燃性であり、熱放散をもたらすことができる。更に、外側シース４２０は、その中に配置される多チャネルの共通のＲＦ接地を提供することができる。金属製の外側シース４２０は、敷設中の機械的安定性も提供する。この代表的な実施形態は、ＬＭＣケーブル４００を形成するものとして積層プロセスを記載しているが、ケーブル４００は、例えば、信号通信チャネルの間の及び／又は周辺部に沿った上部及び底部外側金属層を抵抗溶接するなどの代替プロセスを用いて構成されることもできる。
【００４４】
ケーブル４００は、薄型で略平坦な構造を有することができ、様々なＩＢＷの水平ケーブル配線アプリケーションで使用することができる。例えば、図３Ａの断面図に示されるように、外側シース４２０は、各チャネルの導体シールド４１６が直接接触しないように同軸チャネル４０１ａ〜４０１ｄのそれぞれの上に積層される。これに加えて、上述されたもののような標準的な取り付け面にＬＭＣケーブル１００を取り付けるのを助けるために、ケーブル４００の片側に接着剤支持体層４１８が設けられる。接着剤支持体層４１８は、アクリル系感圧接着剤などの接着剤、又は上述のその他の接着剤のうちの１つを含む。
【００４５】
別の代替態様では、図３Ｂの断面図に示されるように、外側シース４２０の最上層が同軸チャネル４０１ａ〜４０１ｄのそれぞれの上に積層され、下側のシース層が平坦な背面４２２を提供する、代替的なＬＭＣケーブル５００が示されている。接着剤支持体層４１８もまた、表面４２２の少なくとも一部に設けられることができる。更なる代替案では、図３Ｃの断面図に示されるように、各チャネルが隣接するチャネルに接触するように、及びＬＭＣケーブル６００がまた平坦な背面４２２を更に有するように互いに巻包されている同軸チャネル４０１ａ〜４０１ｄのそれぞれの上に外側シース４２０がともに積層されている、代替的なＬＭＣケーブル６００が示されている。接着剤支持体層４１８もまた、表面４２２の少なくとも一部に設けられることができる。更なる代替態様では、ＬＭＣケーブル５００及び６００に関し、各チャネル４０１ａ〜４０１ｄは導体シールド４１６なしで形成され得る。
【００４６】
必要に応じて、ＬＭＣケーブル４００、５００、６００は、低誘電体材料から形成されてケーブルの外周を覆う、非常に薄い（例えば、厚さが最大２ミル（０．０５ｍｍ））外皮を更に含み得る。この低誘電体材料の外皮は、外側シールド／導体シースに放射開口が形成されている場合に、水分が各同軸チャネル内の発泡誘電体に浸透するのを防止することができる。低誘電体材料の外皮は、装飾カバーとしても使用することができる。あるいは、外側の金属製シールドの中に開口部を有する放射構造が形成される領域では、代表的なシーリング材は、放射開口を封止するための疎水性コーティングを提供する、ＥＧＣ−１７００又はＥＧＣ−２７０２などのＮｏｖｅｃ流体を含む。
【００４７】
図２Ａに戻って参照すると、一態様において、第１のチャネル４０１ａは、第１のチャネル４０１ａ上の二次外側シース４２０及び外側導体シールド４１６を通って切断された１つ以上の放射開口４３０の配列を介して携帯電話通信信号を放射する、専用の放射チャネルである。スロットは、特定の軸方向長さ及び横方向幅を有するように形成され、かつ第１のチャネル４０１ａの長さに沿って軸方向に離間している、開口部４３０の反復周期構造を含み得る。このような開口部が規則的な間隔及び寸法を有する場合、開領域と覆われた領域との間のインピーダンス不整合は、同調効果を作り出すことができる。代替的な態様では、以下により詳細に提供されるように、開口部４３０は、第１のチャネル４０１ａの長さに沿って、非周期構造、又は更にはランダム構造を提供し得る。一態様において、チャネル４０１ａは、放射（送信）及び受信チャネルとして動作することができる。他の態様では、第１のチャネル４０１ａは、送信チャネルとしてのみ動作する。他の態様では、第１のチャネル４０１ａは、受信チャネルとしてのみ動作する。
【００４８】
従来の漏えい同軸とは異なり、第１のチャネル４０１ａは、第１のチャネルの放射部分が選択領域に限定されるように特注設計され得る。例えば、放射開口４３０の一部の上に金属テープを組み込むことにより、ヘッドエンドと信号が放射される場所との間の信号レベルを保持することが可能となる。図４に示されるように、金属テープ４８０は、第１のチャネル４０１ａの一部の上に載置され得る。金属テープ４８０は、接着剤の非常に薄い層（外側金属層との容量結合を最大にするため）、及び任意に審美的目的のための装飾外層（典型的には、外側金属層の外観とマッチする）を有する銅箔であり得る。敷設者は、建物全体にケーブル４００をルーティングし、室内及び領域内へのＲＦ伝送が望ましい領域内で、工場で積層された取り外し可能なホイルテープを除去することができる。金属テープを組み込むことにより、特定の敷設に必要な、現場でプログラム可能な放射位置を規定することが可能になる。更に、放射信号が必要でない領域内の放射損失が低減されるので、金属テープの選択的使用は、敷設は容易であるが固有損失が大きいより小さな同軸ケーブルの使用を可能にする。
【００４９】
代表的な製造プロセスでは、ＬＭＣケーブル４００、５００、６００は、所与の同軸チャネルに放射開口を穿孔するためのインライン穿孔ステーションに入ってもよい。このプロセスは、所与のネットワーク設計ごとのケーブルの受託製造を可能にするために、コンピュータで制御されてもよい。次に、穿孔された導体シールド／シースは積層されて、ケーブル構造となり得る。銅又はアルミニウムの接着剤ストリップは、開口部の上に載置されて、現場でプログラム可能なアンテナ指向性図を提供するために後で除去され得るシールドを形成してもよい。
【００５０】
図２Ａに戻って参照すると、ケーブル４００は、それぞれが同軸ケーブル構造を含むチャネル４０１ｂ〜４０１ｄを更に備える。この態様では、チャネル４０１ｂ〜４０１ｄのそれぞれは、別個のＲＦ信号経路として構成される。したがって、チャネル４０１ｂは、第１の周波数帯域の信号経路を提供することができ、チャネル４０１ｃは、第２の周波数帯域の信号経路を提供することができ、以下同様である。あるいは、チャネル４０１ｂは、第１のサービスプロバイダ用の信号経路を提供することができ、チャネル４０１ｃは、第２のサービスプロバイダ用の信号経路を提供することができ、以下同様である。あるいは、チャネル４０１ｂは、第１のサービスタイプ（例えば、ＧＳＭ）のための信号経路を提供することができ、チャネル４０１ｃは、第２のサービスタイプ（例えば、ｉＤＥＮ）のための信号経路を提供することができ、以下同様である。
【００５１】
このタイプのケーブル形状の利点は、分離したサービス経路を有することにより、受動相互変調（ＰＩＭ、異なる周波数で動作するサービスが相互に作用する）の影響が低減され得ることである。
【００５２】
前記で言及したように、本発明の接着剤付きケーブル配線は、放射同軸ケーブル構造を有するＲＦ信号チャネルを備えることができる。例えば、図２Ａは、一定間隔で離間した放射開口４３０を有する第１のチャネル４０１ａを示している。前記で言及したように、開口部が規則的な間隔及び寸法を有する場合、開領域とホイルで覆われた領域との間のインピーダンス不整合は、同調効果を作り出すことができる。この効果は、いくらかの周波数選択的な同調を含み、これは望ましくない可能性がある。いくつかの態様において、ケーブル形状は、不必要な周波数を除去するために、目的のある同調が導入されるのを可能にすることができる。
【００５３】
接着剤付きケーブル形状は、広帯域性能をもたらすために同調効果を低減する又は排除する方法を更に提供する。一つの代替態様において、放射開口は、「ランダムな」穿孔形状により形成される。形成中、ケーブルは、事前に選択されたランダム・シーケンス（特定の最小及び最大間隔）を用いてコンピュータ制御された穿孔機を駆動する、コンピュータ制御されたインライン穿孔機に通されることができる。例えば、図２Ｂは、チャネルの軸方向長さに沿ってランダムに離間した一連の放射開口４３０ａ〜４３０ｘを備える第１のチャネル４０１ａ’を有する代替的なケーブル４００’を示している。開口部４３０ａ、４３０ｂ、４３０ｃ、４３０ｄ等のそれぞれは、異なる形状（長さ及び幅）を有することができ、開口部のそれぞれは、チャネル４０１ａ’の軸方向長さに沿って異なる距離離間され得る。一般的な取り付け面に取り付けるために、上述されたもののような接着剤支持体層（図示せず）がケーブル４００’の上に提供され得る。
【００５４】
別の代替態様において、広帯域性能は、外側シース４２０に長手方向スロットを含ませることによって得ることができる。例えば、図２Ｃに示されるように、代替的なケーブル４００’’は、外側シース／導体シールドの中に縦方向に形成されたスロット４３５を有する第１のチャネル４０１ａ’’を備えている。スロット４３５は、チャネル４０１ａ’’の軸方向全長に沿って、又はチャネル４０１ａ’’の軸方向長さの少なくとも実質的に一部に沿って、約２０度〜約５５度の開口部、好ましくは約４５度の開口部を有する。この構成は、伝送路のインピーダンスを変化させる（一例を挙げれば、従来のＴｉｍｅｓ  Ｍｉｃｒｏｗａｖｅ（Ａｍｐｈｅｎｏｌ）ＬＭＲ−４００同軸ケーブルと類似の構成を有するチャネルの４５度スロットを用いると、インピーダンスは５０オームから５０．６オームへと増加する）。この細長いスロット４３５で考慮すべき代償は、機械的強度の低下である。この代替実施形態として、前述の低誘電体材料などの外側コーティング又は封入材料（encasing material）を使用して、追加の機械的強度を得ることができる。あるいは、例えば、スロットを完全に覆う低誘電率フィルム又はテープを利用してもよい。上述されたもののような接着剤支持体層（図示せず）が、一般的な取り付け面に取り付けるためにケーブル４００’’の上に提供され得る。
【００５５】
別の態様において、本発明の接着剤付きケーブルは、複数の放射チャネルを備えることができる。例えば、図２Ｄに示されるように、ＬＭＣケーブル４００’’’は放射チャネル４０１ａ及び４０１ｄ’を備えており、該放射チャネルのそれぞれは、それらの上に形成された複数の放射開口４３０を有している。放射チャネル４０１ａ及び４０１ｄは、周期的に離間した開口又はランダムに離間した開口を利用してもよい。この構成では、放射チャネルは、信号通信チャネル４０１ｂ及び４０１ｃによって分離されている。この構成では、分離した放射チャネルはクロストークを誘発しにくい。あるいは、放射チャネルは互いに隣接していることができる、つまり、例えば、チャネル４０１ａ及び４０１ｂが放射チャネルであることができる、又は、チャネル４０１ｂ及び４０１ｃが放射チャネルであることができる。更なる代替案では、複数の放射チャネルはそれぞれ、非放射チャネルによって分離されることができる、つまり、例えば、チャネル４０１ａ及びチャネル４０１ｃは非放射チャネル４０１ｂによって分離される放射チャネルであることができる。
【００５６】
更なる代替案では、各外側導体シールドが、長手方向スロット付き構成（例えば、チャネルにわたって長手方向に形成された約２０度〜約５５度の開口、好ましくは約４５度の開口スロット）を有するように、各チャネル４０１ａ〜４０１ｄを構成することができる。ケーブルは、特定のアプリケーションで必要な場合には、チャネルを覆う金属製の外側シースで積層されることができる。
【００５７】
更に、放射チャネルは、それぞれ、図２Ｂに示されるランダムな開口構造、又は図２Ｃに示される長手方向スロット付き構造など、異なる開口構造を有することができる。
【００５８】
前述の接着剤付きケーブル構造は、種々の異なるＩＢＷアーキテクチャの様々なＩＢＷアプリケーションで使用され得る。例えば、本明細書に記載されるＬＭＣケーブル配線は、受動銅同軸ケーブル分配アーキテクチャの一部として使用され得る。このアーキテクチャでは、複数の信号通信チャネルは、それぞれ同軸ケーブル構造を含み得る。ヘッドエンド能動部品を備えるだけで、接着剤付きケーブルの１つ以上の放射チャネルは、建物全体に複数のアンテナを実装する必要性を排除する。例えば、つり天井の下への敷設に関し、ケーブルはつり天井支持構造物に対して平らになるので、ケーブルの略平面構造は、放射開口が下方に向くのを可能にする。
【００５９】
このシステムはまた、従来のスプリッター、タップ、及び／又はカップラーで水平な同軸チャネルに接続された個別の放射アンテナを実装することができる。このようにして、複数のサービス通信事業者は、接着剤付きＲＦ信号ケーブル配線を、水平ケーブル配線、若しくは放射アンテナシステムの一部、又はその両方として使用することができる。このタイプのアーキテクチャは、多くの異なるＲＦプロトコル（例えば、あらゆる携帯電話サービス、ｉＤＥＮ、Ｅｖ−ＤＯ、ＧＳＭ、ＵＭＴＳ、ＣＤＭＡなど）と共に動作することができる。
【００６０】
一つの代替態様において、多チャネルケーブル配線は、複数の同軸ケーブルを含むことができる。例えば、別個の同軸導体は、多入力多出力（ＭＩＭＯ）アンテナシステム、例えば、２×２  ＭＩＭＯアンテナシステム、４×４  ＭＩＭＯアンテナシステムなどの独立したアンテナと接続し得る。別の代替態様では、第１及び第２の同軸導体は、偏波アンテナシステムの単一アンテナと接続され得る。
【００６１】
別の例では、本明細書に記載される接着剤付きＲＦ信号ケーブル配線は、能動アナログ分配アーキテクチャの一部として使用され得る。このタイプのアーキテクチャでは、ＲＦ信号分配は、同軸ケーブル又はファイバ（ＲｏＦ）を通じて行われることができる。このアーキテクチャでは、ケーブル配線は選択された能動部品と組み合わされることができ、能動部品の種類（例えば、ＲｏＦのＯ／Ｅ変換器、ＭＭＩＣ増幅器）は、特定のアーキテクチャの種類に基づいて選択される。このタイプのアーキテクチャは、建物内でより長い伝搬距離を提供することができ、多くの異なるＲＦプロトコル（例えば、あらゆる携帯電話サービス、ｉＤＥＮ、Ｅｖ−ＤＯ、ＧＳＭ、ＵＭＴＳ、ＣＤＭＡなど）と共に動作することができる。
【００６２】
代表的な実施では、図５Ａに示されるように、接着剤付きケーブルダクト７１０は、二重導管構造を有して形成されることができ、ハイブリッドケーブル配線ソリューションを提供することができる。
【００６３】
ダクト７１０は本体７１２を含み、複数の導管（ここでは穴７１３ａ及び７１３ｂ）が本体７１２を通って設けられる。穴７１３ａは、放射同軸ケーブルを含む第１のＲＦ信号チャネル７０１ａを収容するように寸法設定される。この態様では、穴７１３ａは、同軸ケーブルの外径と一致する内径を有し、それによって、敷設中及び敷設後の信号通信チャネル７０１ａの半径方向の配向を固定する密着嵌合を提供する。穴７１３ｂは、ＲＦ信号チャネル７０１ｂ、７０１ｃ、及び７０１ｄを収容するように寸法設定される。この態様では、ＲＦ信号チャネル７０１ｂ〜７０１ｄは、それぞれ、ＲｏＦを実現するのに最適な光ファイバを備える。
【００６４】
この態様では、ＲＦ信号チャネル７１０ａは、図２Ｃに示される信号通信チャネル４０１ａ’’の構造と同様の長手方向スロットを有する放射同軸ケーブルを含み、スロットは、外側シース／導体シールドに縦方向に形成され、チャネル４０１ａ’’の軸方向長さのかなりの部分に沿って約４５度の開口部を有する。
【００６５】
この態様では、ダクト７１０は、上述されたもののような重合体材料から形成され、オーバージャケット押出プロセスでＲＦ信号チャネルの上に直接押出されることができる。ダクト７１０は、接着剤裏材７１８を介して壁１０に取り付けられるときにダクトの支持を提供する、フランジ構造７１５ａ、７１５ｂを更に備える。必要に応じて、ダクト７１０は、上述されたもののような１つ以上の補強部材を含むことができる。好ましい態様において、接着剤層７１８は、上述されたもののような、エポキシなどの接着剤、転写接着剤両面テープ、又は除去可能な接着剤を含む。
【００６６】
この態様では、ダクト７１０は、天井１５の真下の位置の壁１０に取り付けられる。信号通信チャネル７０１ａは、ダクトの長さに沿って半径方向の配向で固定されているので、ダクト７１０は室内又は廊下の中心に面し、それにより、室内、廊下、又は他の場所内に好適な有効範囲を提供して、送信リンク及び／又は逆方向リンク信号と結合するアンテナとして動作することができる放射場５０を提供する。更に、ＲＦ信号チャネル７０１ｂ〜７０１ｄは、異なる搬送波、異なる周波数、及び／又は建物内の異なるサービス専用であり得る、複数の個別のＲＦ経路を提供する。
【００６７】
ダクト７１０は天井の真下の位置の壁１０に敷設されて示されているが、本願明細書の本説明を提供された当業者には明らかなように、ダクト７１０（又は本明細書に記載されている接着剤付きケーブルのいずれか）は、壁１０の他の高さ、天井１５、室内若しくは廊下の床の上、又は他の取付構造に敷設することも可能である。
【００６８】
図５Ａに示される例示的な実施は、例えば、ハイブリッドネットワークアーキテクチャで有用であり得る。
【００６９】
別の態様では、図５Ｂに示されるように、接着剤付きケーブルダクト７１０’は、図５Ａに示される二重導管ダクトと同様に形成され得るが、ハイブリッドケーブル配線ソリューションを提供するために金属製の本体を有している。ダクト７１０’は、複数の導管（ここでは穴７１３ａ及び７１３ｂ）を有する本体７１２’を含む。穴７１３ａは、放射同軸ケーブルを含む第１のＲＦ信号チャネル７０１ａを収容するように寸法設定される。この態様では、穴７１３ａは、同軸ケーブルの外径と一致する内径を有し、それによって、敷設中及び敷設後の信号通信チャネル７０１ａの半径方向の配向をダクトの長さに沿って固定する密着嵌合を提供する。穴７１３ｂは、ＲＦ信号チャネル７０１ｂ、７０１ｃ、及び７０１ｄを収容するように寸法設定される。この態様では、ＲＦ信号チャネル７０１ｂ〜７０１ｄは、それぞれ、ＲｏＦを実現するのに最適な光ファイバを備える。
【００７０】
この態様では、ＲＦ信号チャネル７１０ａは、図２Ｃに示される信号通信チャネル４０１ａ’’の構造と同様の長手方向スロットを有する放射同軸ケーブルを含み、スロットは、外側シース４２０及び導体シールド４１６に縦方向に形成され、チャネル４０１ａ’’の軸方向長さのかなりの部分に沿って約４５度の開口部を有する。あるいは、ＲＦ信号チャネル７０１ａは、信号通信チャネルの長さに沿って形成された、ランダムに穿孔された開口の配列を有する放射同軸ケーブルを含み得る。
【００７１】
この態様では、ダクト７１０’は、銅などの金属材料から形成され、薄い高分子積層体（図示せず）を外皮として有する。ダクト７１０’は、接着剤裏材７１８を介して壁１０に取り付けられるときにダクトの支持を提供する、フランジ構造７１５ａ、７１５ｂを更に備える。好ましい態様において、接着剤層７１８は、上述されたもののような、エポキシなどの接着剤、転写接着剤両面テープ、又は除去可能な接着剤を含む。
【００７２】
図５Ａの実施形態と同様に、ダクト７１０’は、天井１５の真下の位置の壁１０に取り付けられる。信号通信チャネル７０１ａは、半径方向の配向で穴７１３ａ内に固定され、それにより、ダクト７１０’は、室内、廊下、又は他の場所内に好適な有効範囲を提供して、送信リンク及び／又は逆方向リンク信号と結合するアンテナとして動作することができる放射場５０を提供する。更に、ダクト７１０’は、複数の個別のＲＦ経路を提供するＲＦ信号チャネル７０１ｂ〜７０１ｄを備える。
【００７３】
図５Ｂに示される例示的な実施は、ハイブリッドネットワークアーキテクチャにとって有用であり得る。
【００７４】
別の態様では、図５Ｃに示されるように、接着剤付きケーブルダクト８１０は、図１Ａに示される単一導管ダクトと同様に形成され得る。ダクト８１０は本体８１２を有し、そこを通って穴８１３が形成されている。穴８１３は、ＲＦ信号チャネル８０１ａ〜８０１ｃを収容するように寸法設定されるが、より多くの又は少ない数のＲＦ信号チャネルを穴８１３の中に配置することができる。この態様では、ＲＦ信号チャネル８０１ａ〜８０１ｃは、それぞれ、ＲＦｏＧを支持するように最適化された光ファイバを含む。
【００７５】
この態様では、ダクト８１０は、上述されたもののような重合体材料から形成され、オーバージャケット押出プロセスでＲＦ信号チャネルの上に直接押出されることができる。ダクト８１０は、接着剤裏材８１８を介して壁１０に取り付けられるときにダクトの支持を提供する、フランジ構造８１５ａ、８１５ｂを更に備える。必要に応じて、ダクト８１０は、上述されたもののような１つ以上の補強部材を含むことができる。好ましい態様では、接着剤層８１８は、上述されたもののような、エポキシなどの接着剤、転写接着剤両面テープ、又は除去可能な接着剤を含む。ＲＦ信号チャネル８０１ａ〜８０１ｃは、異なる搬送波、異なる周波数、及び／又は建物内の異なるサービス専用であり得る、複数の個別のＲＦ経路を提供する。
【００７６】
図５Ｃに示されるような例示的な実施は、能動ＤＡＳネットワークアーキテクチャにとって有用であり得る。
【００７７】
別の態様では、図５Ｄに示されるように、接着剤付きケーブルダクト８１０’は、図５Ｃに示される単一導管ダクトと同様に形成され得る。ダクト８１０’は本体８１２’を含み、そこを通って穴８１３が形成されている。穴８１３は、非放射同軸ケーブル又は放射同軸ケーブルを含み得るＲＦ信号チャネル８０１ａを収容するように寸法設定されている。図５Ｄに示されるように、図２Ｃに示される信号通信チャネル４０１ａ’’の構造と類似した長手方向スロットを有する放射同軸ケーブルが提供され、スロットは、外側シース４２０及び導体シールド４１６に縦方向に形成され、チャネル４０１ａ’’の軸方向長さのかなりの部分に沿って約４５度の開口部を有する。あるいは、ＲＦ信号チャネル８０１ａは、信号通信チャネルの長さに沿って形成された、ランダムに穿孔された開口の配列を有する放射同軸ケーブルを含み得る。
【００７８】
この態様では、ダクト８１０’は、銅などの金属材料から形成され、薄い高分子積層体（図示せず）を外皮として有する。ダクト８１０’は、接着剤裏材８１８を介して壁１０に取り付けられるときにダクトの支持を提供する、フランジ構造８１５ａ、８１５ｂを更に備える。好ましい態様では、接着剤層８１８は、上述されたもののような、エポキシなどの接着剤、転写接着剤両面テープ、又は除去可能な接着剤を含む。
【００７９】
図５Ａの実施形態と同様に、ダクト８１０’は、天井１５の真下の位置の壁１０に取り付けられる。信号通信チャネル８０１ａは、半径方向の配向で穴８１３内に固定され、それにより、ダクト８１０’は、室内、廊下、又は他の場所内に好適な有効範囲を提供して、送信リンク及び／又は逆方向リンク信号と結合するアンテナとして動作することができる放射場５０を提供する。
【００８０】
図５Ｄに示される例示的な実施は、受動又は能動ＤＡＳ水平配線（非放射又は放射）ネットワークアーキテクチャにとって、及び個別のアンテナに代わる能動ＤＡＳにとって有用であり得る。
【００８１】
代表的な接着剤付きケーブル配線を取り付けるために利用することができる代表的な工具類は、米国特許公報ＵＳ２００９−０３２４１８８に記載されている。
【００８２】
別の態様では、図６Ａに示されるように、接着剤付きダクト９１０は複数のチャネルを収容して、ＩＢＷアプリケーションのための水平ケーブル配線を提供する。ダクト９１０は本体９１２を含み、本体９１２は、そこを通って提供される複数の導管（ここでは、穴９１３、並びにダクトのフランジ構造の中に形成された追加の穴９１４ａ及び９１４ｂ）を有している。この態様では、穴９１３は、その中に配置される１つ以上のＲＦ通信回線を収容するように寸法設定されている。この例では、穴９１３は、１２本の光ファイバ９０１ａ〜９０１ｌを収容するように寸法設定されている。言うまでもなく、アプリケーションによっては、より多くの又は少ない数の光ファイバを利用することができる。光ファイバは、ＲＦｏＧを支持するように最適化され得る。例えば、光ファイバは、ネイティブＲＦ信号を伝送するように設計されている単一モード光ファイバを含むことができる。いくつかのアプリケーションでは、多モードファイバを利用することも可能である。
【００８３】
追加の穴９１４ａ及び９１４ｂは、追加の信号通信チャネル及び／又は電力線を提供することができる。この態様では、第１の追加チャネル９１４ａは第１の電力線９０２ａを支持し、第２の追加チャネル９１４ｂは第２の電力線９０２ｂを支持している。あるいは、第１及び第２の追加チャネル９１４ａ、９１４ｂは、同軸ケーブルを支持することができる。第１及び第２の追加チャネル９１４ａ、９１４ｂへのアクセスは、それぞれスリット９０６ａ、９０６ｂを介して提供され得る。別の代替態様では、接着剤付きケーブル配線は、ＣＡＴ５、ＣＡＴ６線として構成されたより多くの通信チャネルのうちの１つを含み得る。別の代替案では、電力は、同軸線の１つ以上の導電性コアを通じて送信され得る。
【００８４】
ダクト９１０は、上述されたもののような重合体材料から形成される構造体であり得る。更なる態様において、ダクト９１０は、オーバージャケット押出プロセスで通信線の上に直接押し出されることができる。あるいは、ダクト９１０は、上述のように、銅又はアルミニウムなどの金属材料から形成され得る。（１つ又は複数の）アクセススリットのある又はないダクト９１０を敷設者に提供することができる。
【００８５】
ダクト９１０は、壁に、又は床、天井、若しくはモールディングなどの取り付け面に敷設されるか取り付けられたときにダクト９１０の支持を提供するフランジ９１５ａ、９１５ｂ又は類似の平坦部分を含む。好ましい態様では、フランジ９１５ａ、９１５ｂは、略平坦面形状を有する背面又は底面９１６を有する。必要に応じて、ダクト９１０は、上述されたもののような１つ以上の補強部材を含むことができる。好ましい態様では、接着剤層９１８は、表面９１６の全体又は少なくとも一部に配置される、上述されたもののような、エポキシなどの接着剤、転写接着剤、アクリル接着剤、感圧接着剤、両面テープ、又は除去可能な接着剤を含む。取り外し可能なライナー９１９を提供することができ、該ライナーは、接着剤層が取り付け面に貼り付けられるときに除去され得る。
【００８６】
別の態様では、図６Ｂに示されるように、接着剤付きダクト１０１０は、ＩＢＷアプリケーションのための水平ケーブル配線を提供するために、複数のチャネルを収容する。ダクト１０１０は本体１０１２を含み、本体１０１２は、そこを通って提供される複数の導管（ここでは、穴１０１３、並びにダクトの外側ジャケット１０１１構造体の中に形成された４つの追加の穴１０１４ａ〜１０１４ｂ）を有している。４つの追加の穴１０１４ａ〜１０１４ｂが図６Ｂに示されているが、より多くの又は少ない数の追加の穴を提供することが可能である。この態様では、穴１０１３は、その中に配置される１つ以上のＲＦ通信回線を収容するように寸法設定されている。この例では、穴１０１３は、１２本の光ファイバ１００１ａ〜１００１ｌを収容するように寸法設定されている。言うまでもなく、アプリケーションによっては、より多くの又は少ない数の光ファイバを利用することができる。光ファイバは、ＲＦｏＧを支持するように最適化され得る。例えば、光ファイバは、ネイティブＲＦ信号を伝送するように設計されている単一モード光ファイバを含むことができる。いくつかのアプリケーションでは、多モードファイバを利用することも可能である。
【００８７】
追加の穴１０１４ａ〜１０１４ｂは、追加の信号通信チャネル及び／又は電力線を提供することができる。この態様では、第１の追加チャネル１０１４ａは第１の電力線１００２ａを支持し、第２の追加チャネル１０１４ｂは第２の電力線１００２ｂを支持し、第３の追加チャネル１０１４ｃは第３の電力線１００２ｃを支持し、第４の追加チャネル１０１４ｄは第４の電力線１００２ｄを支持する。あるいは、追加チャネル１０１４ａ〜１０１４ｄは、同軸ケーブルを支持することができる。第１及び第２の追加チャネル１０１４ａ〜１０１４ｄへのアクセスは、それぞれ、ダクトの長さに沿って延びるスリット１００６ａ〜１００６ｄを介して提供され得る。この設計は、敷設者が必要に応じて、直接的なやり方で電力線をダクト１０１０に挿入する又はダクト１０１０から除去するのを可能にする。別の代替態様では、接着剤付きケーブル配線は、ＣＡＴ５、ＣＡＴ６線として構成されたより多くの通信チャネルのうちの１つを含み得る。別の代替案では、電力は、同軸線の１つ以上の導電性コアを通じて送信され得る。
【００８８】
ダクト１０１０は、上述されたもののような重合体材料から形成される構造体であり得る。更なる態様において、ダクト１０１０は、オーバージャケット押出プロセスで通信線の上に直接押し出されてもよい。この態様では、ダクト１０１０は、上述のように、銅又はアルミニウムなどの金属材料から形成され得る。（１つ又は複数の）アクセススリットのある又はないダクト１０１０を敷設者に提供することができる。
【００８９】
また、ダクト１０１０は、壁に、又は床、天井、若しくはモールディングなどの他の取り付け面に敷設されるか取り付けられたときにダクト１０１０の支持を提供するフランジ１０１５ａ、１０１５ｂ又は類似の平坦部分を含む。好ましい態様では、フランジ１０１５ａ、１０１５ｂは、略平坦面形状を有する背面又は底面１０１６を有する。必要に応じて、ダクト１０１０は、上述されたもののような１つ以上の補強部材を含むことができる。好ましい態様では、接着剤層１０１８は、表面１０１６の全体又は少なくとも一部に配置される、上述されたもののような、エポキシなどの接着剤、転写接着剤、アクリル接着剤、感圧接着剤、両面テープ、又は除去可能な接着剤を含む。図示されていないが、取り外し可能なライナーを提供することができ、該ライナーは、接着剤層が取り付け面に貼り付けられるときに除去され得る。
【００９０】
本明細書に記載される接着剤付きケーブル配線は、他の屋内及び屋外用途で、並びにオフィスビル、オフィススイート、及びアパートなどの商業又は住居用の建物でも利用可能である。
【００９１】
上述の接着剤付きケーブル配線は、該ケーブル配線が放射同軸ケーブルを提供することができるという理由で、中間配線盤（ＩＤＦ）からアンテナまでの既存の水平経路が欠如した建物の中で使用することができる。更に、乾式壁天井を有しかつ点検用パネルがほとんどない建物では、本発明の接着剤付きケーブル配線は、既存の乾式壁天井に入る必要なく敷設されることができる。一部の古い建物には、設計図がないか又は設計図が不正確である場合があるので、本明細書に記載される接着剤付きケーブル配線は、外観調査に基づいて敷設されることができる接着剤付きケーブル配線は、既存の手の込んだ装飾及び廊下の端正さを妨げる必要性を最小限に抑える又は排除するのを助ける。更に、広範囲にわたる工事領域を設置する必要性を回避することができる。
【００９２】
種々の接着剤付きＲＦ信号ケーブルの実施形態に関連して上述したように、本発明のケーブル配線は、複数のチャネルを含むＲＦ信号分配手段を、建物又は他の構造物内に提供する。したがって、それぞれが建物内での無線分配を必要とする異なる搬送波は、接着剤付きＲＦ信号ケーブル布線を利用することができ、そこでは共通の水平敷設が異なる搬送波をサポートすることができ、コスト削減及び搬送波の自律性（carrier autonomy）がもたらされる。更に、ＧＳＭ、ＵＭＴＳ、ｉＤＥＮ、Ｅｖ−ＤＯ、ＬＴＥなどといった異なるサービスを、接着剤付きＲＦ信号ケーブル配線によって分配することができる。更に、上で論じた接着剤付きＲＦ信号ケーブル配線構造を用いると、分離した信号経路は異なる周波数で動作するサービスを行うので、ＰＩＭが低減又は排除される。更に、接着剤付きＲＦ信号ケーブル配線は、マルチパスＲＦ環境の様々なＭＩＭＯアーキテクチャで実施されることができ、同軸ケーブルの複数のレーンはアンテナシステムに方向付けられることができる。別の代替案では、接着剤付きＲＦ信号ケーブル配線は、単一の一体型アンテナユニットから送受信することができる偏波アンテナシステムで使用され得る。接着剤付きＲＦ信号ケーブル配線は、位相遅延制御のために同じ長さの経路を提供することができる。
【００９３】
接着剤付きＲＦ信号ケーブル配線は、「ランチルーム」「会議室」「カンファレンスルーム」などの建物内の異なる場所への信号のルーティングも提供する。複数チャネルの設計は、必要に応じて、別個の受信チャネルが他のチャネルと無関係に設定されるのも可能にする。このタイプの構成は、ユーザー装置（ＵＥ）信号をセルサイトに戻すためのより良好な信号調節を提供することができる。
【００９４】
ＬＭＣケーブル配線は、直接的なやり方で建物の壁又は天井に敷設され得るアンテナ構造としての機能を果たす放射同軸チャネルを含むことができる。選択された放射開口の上に金属テープを組み込むことにより、ヘッドエンドと信号が放射される領域との間の信号レベルを保持することが可能となる。金属テープにより、特定の敷設に必要な、現場でプログラム可能な放射位置を規定することが更に可能となる。また、選択された放射開口の上に金属テープを組み込むことにより、比較的小さい寸法の同軸ケーブルを複数の信号通信チャネルに使用するのが可能となる。この小さな製品形状因子は、極めて敷設し易くあり得る。損失は、別個の受信同軸チャネル、必要な場合のみ輻射力、及び必要な場合に増幅器を使用して、開口部を封止したままヘッドエンドから遠い領域に別個の信号を送信することによって管理され得る。
【００９５】
このように、複数のアウトバウンドチャネル、専用の受信チャネル、及び現場でプログラム可能な放射体を備えた本明細書に記載される接着剤付きＲＦ信号ケーブルは、柔軟なネットワーク設計及び所与の室内放射環境の最適化をもたらす。
【００９６】
上記の実施形態はＩＢＷアプリケーションに関連して記載されているが、本発明の接着剤付きＲＦ信号ケーブル配線は、屋外無線アプリケーションでも同様に使用可能である。
【００９７】
本発明は上記に述べた特定の実施例に限定されるものと考えるべきではなく、添付の特許請求の範囲に適正に記載されるように本発明の全ての態様を網羅するものと理解すべきである。本発明を適用可能な様々な変更、等価のプロセス、及び多くの構造が、本明細書を参照することで本発明が対象とする技術分野における当業者には直ちに明らかとなろう。特許請求の範囲は、このような修正及び装置を網羅することを意図する。
【図１Ａ】
2013535182.tif 000003
【図１Ｂ】
2013535182.tif 000004
【図１Ｃ】
2013535182.tif 000005
【図２Ａ】
2013535182.tif 000006
【図２Ｂ】
2013535182.tif 000007
【図２Ｃ】
2013535182.tif 000008
【図２Ｄ】
2013535182.tif 000009
【図３Ａ】
2013535182.tif 000010
【図３Ｂ】
2013535182.tif 000011
【図３Ｃ】
2013535182.tif 000012
【図４】
2013535182.tif 000013
【図５Ａ】
2013535182.tif 000014
【図５Ｂ】
2013535182.tif 000015
【図５Ｃ】
2013535182.tif 000016
【図５Ｄ】
2013535182.tif 000017
【図６Ａ】
2013535182.tif 000018
【図６ｂ】
2013535182.tif 000019
【国際調査報告】
2013535182.tif 000020
2013535182.tif 000021